(57)【特許請求の範囲】
【請求項１】
水中モータポンプのポンプ部とモータ部との間に介在する、潤滑オイルが封入されたオイル室内を貫通するポンプ軸の外周にダブル型軸封装置を嵌装させて、その外側を円筒状壁体で囲繞し、円筒状壁体の内周面にポンプ軸の回転方向に向かって上り勾配の傾斜面を形成するようガイドベーンを定着させ、円筒状壁体の上縁部を上部のメイティングリングとシールリングとの摺動面よりも上方部において、オイル室内の上壁面に接近させてその環状間隙部をオイルの流出溝に形成し、円筒状壁体の下縁部には外側方向へ突出するフランジを付設して該フランジの下面を回り止め用押え板の上面へ定着させ、且つ円筒状壁体の下方部にガイドベーンの下端部裏側とオイル室とを導通させるオイル流入用横穴を開設し、該オイル流入用横穴から流入された潤滑オイルはガイドベーンに沿って上昇されてオイルの流出溝から緩やかに流出されるので、オイル室内の潤滑オイルは上記円筒状壁体により下から上へと循環されることから、該オイル流入用横穴に吸水剤が吸込まれないよう、上記円筒状壁体の外側に遮蔽リングを付設し、更に該遮蔽リングの外側のオイル室内の下壁面に配設された吸水剤が上記潤滑オイルの循環作用によって、オイル室内に浸水される水分を効率よく該吸水剤に吸水させることで、油水分離しながら水分を除去させることを特徴とする、水中モータポンプ用軸封装置の油水分離による水分除去方法。
【請求項２】
水中モータポンプのポンプ部とモータ部との間に介在する、潤滑オイルが封入されたオイル室内を貫通するポンプ軸の外周にダブル型軸封装置を嵌装させて、その外側を円筒状壁体で囲繞し、円筒状壁体の内周面にポンプ軸の回転方向に向かって上り勾配の傾斜面を形成するようガイドベーンを定着させ、円筒状壁体の上縁部を上部のメイティングリングとシールリングとの摺動面よりも上方部において、オイル室内の上壁面に接近させてその環状間隙部をオイルの流出溝に形成し、円筒状壁体の下縁部には外側方向へ突出するフランジを付設して該フランジの下面を回り止め用押え板の上面へ定着させ、且つ円筒状壁体の下方部にガイドベーンの下端部裏側とオイル室とを導通させるオイル流入用横穴を開設し、該オイル流入用横穴から流入された潤滑オイルはガイドベーンに沿って上昇されてオイルの流出溝から緩やかに流出されるので、オイル室内の潤滑オイルは上記円筒状壁体により下から上へと循環されることから、該オイル流入用横穴に吸水剤が吸込まれないよう、上記円筒状壁体の外側に遮蔽リングを付設し、更に該遮蔽リングの外側のオイル室内の下壁面に配設された吸水剤が上記潤滑オイルの循環作用によって、オイル室内に浸水される水分を効率よく該吸水剤に吸水させることで、油水分離しながら水分を除去するよう構成されたことを特徴とする、水中モータポンプ用軸封装置の油水分離による水分除去装置。
【請求項３】
水中モータポンプのモータ部のフレーム下端のハウジング下端面とポンプ部のケーシングの上端面との間に形成される空間部へ着脱可能に介装させるオイルタンク内に潤滑オイルが封入された水中モータポンプ用軸封装置であって、上記空間部を貫通するポンプ軸へ挿脱可能に嵌着される円筒状軸スリーブの外周にダブル型軸封装置を嵌装させてその外周をオイルタンクで囲繞し、オイルタンクの上蓋下面に凹設された上部環溝にダブル型軸封装置の上部メイティンリングを嵌着させ、オイルタンクの下壁上面に凹設された下部環溝にダブル型軸封装置の下部メイティリングを嵌着させて該メイティンリングの回り止め用押え板を下部環溝の周壁上面へ定着させ、ダブル型軸封装置を囲んでオイルタンク内に立設される円筒状壁体の内周面にポンプ軸回転方向に向って上り勾配の傾斜面を形成するようガイドベーンを定着させ、円筒状壁体の下縁部には外側方向へ突出するフランジを付設して該フランジの下面を回り止め用押え板の上面へ定着させ、且つ円筒状壁体の下方部にガイドベーンの下端部裏側とオイルタンク内とを導通させるオイル流入用横穴を開設し、円筒状壁体の上縁部を上部メイティンリングとシールリングとの摺動面よりも上方においてオイルタンク上壁に接近させて内側方向へ突出するフランジを付設し、該フランジ上面と上部環溝の周壁下面との対向面間にオイル流出用の環状溝隙を形成させ、オイルタンクの周壁上縁部にモータフレーム下端のハウジング下端面へ当接する取付座を付設すると共に、上記オイル流入用横穴から流入された潤滑オイルはガイドベーンに沿って上昇されてオイルの流出溝から緩やかに流出されるので、オイルタンク内の潤滑オイルは上記円筒状壁体により下から上へと循環されることから、該オイル流入用横穴に吸水剤が吸込まれないよう、上記円筒状壁体の外側に遮蔽リングを付設し、更に該遮蔽リングの外側のオイルタンクの下壁上面に配設された吸水剤が上記潤滑オイルの循環作用によって、オイルタンク内に浸水される水分を効率よく該吸水剤に吸水させることで、油水分離しながら水分を除去するよう構成されたことを特徴とする、水中モータポンプ用軸封装置の油水分離による水分除去装置。
【発明の詳細な説明】
【技術分野】
【０００１】
本発明は、水中モータポンプ等に装着される軸封装置の油水分離による水分除去方法およびその装置に関するものである。
【背景技術】
【０００２】
従来、水中モータポンプのポンプ部とモータ部の間に設けられた、オイル室内を貫通するポンプ軸の外周に嵌装され上下環溝に嵌着されて介装される軸封装置(メカニカルシール)により、ポンプ部側からの浸水をシールする下部摺動密封面と該オイル室内のオイルがモータ部側へ侵入しないうにシールする上部摺動密封面の上下２箇所をシールするダブル型軸封装置が、油水分離による水分除去機能を有しない状態で油封されている。
【０００３】
そして、モータフレーム下面とポンプケーシング上面との間に設けられたオイル室内において、ポンプ軸の外周に嵌装されたダブル型軸封装置の上部メイティリングをベアリングブラケットの下面に嵌着して支承させ、下部メイティリングをポンプケーシングの上壁上面に嵌着して支承させ、コイルスプリングのバネ圧により上部シールリングを上部メイティリングに圧接させると共に下部シールリングを下部メイティリングに圧接させ、これら圧接部が摺動密封面を構成するように組立られているものが提案されている（例えば、特許文献１参照）。
【０００４】
また、円筒状軸スリーブの外周にダブル型軸封装置を嵌装させてその外周を環状のオイルタンクで囲繞し、ダブル型軸封装置を囲んでオイルタンク内に立設された円筒状壁体の内周面にオイル掻揚げ用のガイドベーンを定着させ、ガイドベーンの下端部裏側に接近させて円筒状壁体の下方部にオイル流入用の横穴を開設し、円筒状壁体の上縁部にオイル流出用の環状溝隙を形成させ、オイルタンクの周壁上縁部に取付座を付設させてオイルを封入する軸封ユニットに構成されているものが提案されている（例えば、下記の特許文献１参照）。
【０００５】
しかしながら、前記特許文献１に開示された油水分離による水分除去機能を有していない軸封装置の密封面が摺動する構成において、該摺動面からの漏れ量をゼロとする完全密封状態とすることは実質的に不可能であることから、必然的にポンプ部側で発生する水圧により、オイル室へ微量の水分が侵入されることで、長期間の使用において該微量浸水の蓄積水分がオイル室内のオイルに混入されるために、シール機能を維持させる摺動密封面への潤滑オイルの粘性が低下されて、摺動密封面の潤滑不良に起因した摺動面の面荒れや破損により、シール機能が破壊されてしまい、最悪はモータ充電部の浸水による感電や水蒸気爆発等の重大事故を招いてしまうという問題を有している。
【０００６】
更にまた、油水分離真空チャンバ内を真空にするための真空ポンプと、チャンバに油水を送入制御する油水送入弁と、油水分離後油分を排出する排油弁と、排油時にチャンバ内を外気と均圧する均圧弁と、水分の蒸発を促進するのにドレンを加熱する加熱器より構成された油水分離装置を別途用いて、水分を分離回収することも周知である（例えば、下記の特許文献２参照）。しかしながらが、別途油水分離装置を設けなければ成らないことから、別途設置スペースが必要でありコンパクト化することができないと共に、イニシャルおよびランニングコストが嵩むという問題を有している。
【先行技術文献】
【特許文献】
【０００７】
【特許文献１】特開２００１−２２１１９０号公報
【特許文献２】特開平１１−３４３９７６号公報
【発明の概要】
【発明が解決しようとする課題】
【０００８】
しかしながら、前記特許文献１の油水分離機能を有しない油封構成のダブル型軸封装置においては、ポンプ部側で発生する水圧による微量浸水により、長期使用においてオイル室内に水分が混入することで、シール機能を維持させる摺動密封面への潤滑オイルの粘性が低下することで、摺動密封面の潤滑不良に起因した摺動面の面荒れや破損によりシール機能が破壊され浸水事故を招き、最悪はモータ充電部による感電の人身事故や水蒸気爆発等の重大事故を招いてしまうという欠点があった。
【０００９】
また、前記特許文献２の油水分離装置を別途用いて、水分を分離回収するものにおいては、別途油水分離装置を設けなければ成らないことから、別途設置スペースが必要でありコンパクト化することができないと共に、イニシャルおよびランニングコストが嵩むという欠点があった。
【００１０】
そこで、本発明は前記問題点を鑑み、水中モータポンプの長期使用によるオイル室内への水分の混入に対して、別途油水分離装置を設けることなく、水中モータポンプ自体に油水分離の水分除去機能を付加することで、水中モータポンプを大きくすることなくコンパクト化すると共に、イニシャルおよびランニングコストが嵩むことなく、しかも既存の水中モータポンプにおいても極めて容易に対応することのできる、水中モータポンプ用軸封装置の油水分離方法およびその装置を提供することを目的とする。
【課題を解決するための手段】
【００１１】
本発明の請求項１に係る発明の方法では、水中モータポンプのポンプ部とモータ部との間に介在する、潤滑オイルが封入されたオイル室内を貫通するポンプ軸の外周にダブル型軸封装置を嵌装させて、その外側を円筒状壁体で囲繞し、円筒状壁体の内周面にポンプ軸の回転方向に向かって上り勾配の傾斜面を形成するようガイドベーンを定着させ、円筒状壁体の上縁部を上部のメイティングリングとシールリングとの摺動面よりも上方部において、オイル室内の上壁面に接近させてその環状間隙部をオイルの流出溝に形成し、円筒状壁体の下縁部には外側方向へ突出するフランジを付設して該フランジの下面を回り止め用押え板の上面へ定着させ、且つ円筒状壁体の下方部にガイドベーンの下端部裏側とオイル室とを導通させるオイル流入用横穴を開設し、該オイル流入用横穴に吸水剤が吸込まれないよう、上記円筒状壁体の外側に遮蔽リングを付設し、更に該遮蔽リングの外側のオイル室内の下壁面に配設された吸水剤により、オイル室内に浸水される水分を該吸水剤に吸水させることで、油水分離しながら水分を除去させることを最も主要な特徴とする。
【００１２】
また、本発明の請求項２に係る発明の装置では請求項１発明の方法を使用して、水中モータポンプのポンプ部とモータ部との間に介在する、潤滑オイルが封入されたオイル室内を貫通するポンプ軸の外周にダブル型軸封装置を嵌装させて、その外側を円筒状壁体で囲繞し、円筒状壁体の内周面にポンプ軸の回転方向に向かって上り勾配の傾斜面を形成するようガイドベーンを定着させ、円筒状壁体の上縁部を上部のメイティングリングとシールリングとの摺動面よりも上方部において、オイル室内の上壁面に接近させてその環状間隙部をオイルの流出溝に形成し、円筒状壁体の下縁部には外側方向へ突出するフランジを付設して該フランジの下面を回り止め用押え板の上面へ定着させ、且つ円筒状壁体の下方部にガイドベーンの下端部裏側とオイル室とを導通させるオイル流入用横穴を開設し、該オイル流入用横穴に吸水剤が吸込まれないよう、上記円筒状壁体の外側に遮蔽リングを付設し、更に該遮蔽リングの外側のオイル室内の下壁面に配設された吸水剤により、オイル室内に浸水される水分を該吸水剤に吸水させることで、油水分離しながら水分を除去するよう構成している。
【００１３】
更にまた、本発明の請求項３に係る発明の装置では請求項１発明の方法を使用して、水中モータポンプのモータフレーム下端のハウジング下端面とポンプ部のケーシングの上端面との間に形成される空間部へ着脱可能に介装させる潤滑オイルが封入された水中モータポンプ用軸封装置であって、上記空間部を貫通するポンプ軸へ挿脱可能に嵌着される円筒状軸スリーブの外周にダブル型軸封装置を嵌装させてその外周をオイルタンクで囲繞し、オイルタンクの上蓋下面に凹設された上部環溝にダブル型軸封装置の上部メイティンリングを嵌着させ、オイルタンクの下壁上面に凹設された下部環溝にダブル型軸封装置の下部メイティリングを嵌着させて該メイティンリングの回り止め用押え板を下部環溝の周壁上面へ定着させ、ダブル型軸封装置を囲んでオイルタンク内に立設される円筒状壁体の内周面にポンプ軸回転方向に向って上り勾配の傾斜面を形成するようガイドベーンを定着させ、円筒状壁体の下縁部には外側方向へ突出するフランジを付設して該フランジの下面を回り止め用押え板の上面へ定着させ、且つ円筒状壁体の下方部にガイドベーンの下端部裏側とオイル室とを導通させるオイル流入用横穴を開設し、円筒状壁体の上縁部を上部メイティンリングとシールリングとの摺動面よりも上方においてオイルタンク上壁に接近させて内側方向へ突出するフランジを付設し、該フランジ上面と上部環溝の周壁下面との対向面間にオイル流出用の環状溝隙を形成させ、オイルタンクの周壁上縁部にモータフレーム下面へ当接する取付座を付設すると共に、上記オイル流入用横穴に吸水剤が吸込まれないよう、上記円筒状壁体の外側に遮蔽リングを付設し、更に該遮蔽リングの外側のオイル室内の下壁面に配設された吸水剤により、オイル室内に浸水される水分を該吸水剤に吸水させることで、油水分離しながら水分を除去するよう構成している。
【発明の効果】
【００１４】
本発明によれば、潤滑オイルが封入されたオイル室内を貫通するポンプ軸に嵌装されたダブル型軸封装置の回転により、旋回された潤滑オイルが円筒状壁体の内周面にポンプ軸の回転方向に向かって上り勾配の傾斜面を形成されたガイドベーンに沿って上昇されることで、該ガイドベーンの下端部裏側とオイル室とを導通させるオイル流入用横穴より流入された潤滑オイルを上昇させて、円筒状壁体上縁部のフランジ上端面と対向するオイル室内の上壁面に接近させた環状間隙部のオイルの流出溝内から緩やかに流出されながら、該円筒状壁体外周面を伝うようにして、封入された潤滑オイルに空気が混入しないよう緩やかに流下させることで、円筒状壁体の外側に付設する遮蔽リング外周のオイル室内の下壁面に配設された吸水剤により、潤滑オイルより比重の大きなオイル室内に浸水される水分を効率よく該吸水剤に吸水させることで、油水分離しながら水分が除されるので、潤滑オイルの粘性を低下させることなく、安定した潤滑オイルを円筒状壁体の下縁部から上縁部に循環させることで、ダブル型軸封装置に円滑に潤滑オイルが安定供給されることで、安定したシール機能が維持される。
【００１５】
また、後記実施例２においては、ポンプ部で発生する水圧がオイル室内のダブル型軸封装置の下部に、直接伝播しないよう空間部を隔てた圧抜き構成にも容易に対応し得ることから、高揚程使用の水中モータポンプに対しても、安定したシール機能を維持することができる。
【００１６】
更に、複雑で大掛かりな油水分離装置を別途用いることなく、既存の水中モータポンプのオイル室内に吸水剤が容易に配設することができるので、水中モータポンプを大きくすることなくコンパクト化すると共に、イニシャルおよびランニングコストが嵩むことなく、しかも既存の水中モータポンプにおいても極めて容易に対応することのできると共に、吸水剤を網袋等に入れて使用すればメンテナンス時に容易に交換できるという、従来にない多くの効果を有している。
【図面の簡単な説明】
【００１７】
【図１】本発明の実施例１の水中モータポンプ用軸封装置の油水分離装置の要部縦断側面図である。
【図２】本発明の実施例２の水中モータポンプ用軸封装置の油水分離装置の要部縦断側面図である。
【図３】本発明の実施例２の水中モータポンプ用軸封装置の油水分離装置を介装させた水中モータポンプの要部縦断側面図である。
【図４】本発明の実施例１，２の水中モータポンプ用軸封装置の油水分離装置における、円筒状壁体の縦断側面図である。
【図５】本発明の実施例１，２の水中モータポンプ用軸封装置の油水分離装置における、回り止め用押え板１６の縦断側面図である。
【発明を実施するための最良の形態】
【００１８】
以下、本発明の水中モータポンプのポンプ部とモータ部との間に介在する、潤滑オイルが封入されたオイル室内にシールを司るダブル型軸封装置と、該ダブル型軸封装置に潤滑オイルを循環供給する円筒状壁体と、遮蔽リングの外側のオイル室内の下壁面に配設された吸水剤が上記潤滑オイルの循環作用によって、オイル室内に浸水される水分を効率よく該吸水剤に吸水させることで、油水分離しながら水分を除去させる機能を具備させた、水中モータポンプ用軸封装置の油水分離方法およびその装置の実施形態として、以下の如く本願発明の実施例に基づき、図面を参照して詳細に説明する。なお、この実施例の形態によりこの発明が限定されるものではない。
【実施例１】
【００１９】
図１において、1は水中モータポンプのモータ部であり、水中モータポンプのポンプ部２との間に介在する、潤滑オイル９ｏが封入されたオイル室９内を貫通するポンプ軸４の外周にダブル型軸封装置７を嵌装させてその外側を円筒状壁体１５で囲繞し、円筒状壁体１５の内周面にポンプ軸４の回転方向に向かって上り勾配の傾斜面を形成するようガイドベーンＧを定着させ、円筒状壁体１５の上縁部の内側方向へ突出するフランジＦ１の上端面をモータ部１のハウジング１８の環溝に嵌着された上部メイティングリング１１Ａと、ポンプ軸４に嵌着された上部シールリング１３Ａとの上部摺動面１４Ａよりも上方部において、オイル室９内の上壁面に接近させてその環状間隙部をオイルの流出溝１７Ａに形成し、円筒状壁体１５の下縁部には外側方向へ突出するフランジＦ２を付設して該フランジＦ２の下面をポンプ部２のケーシング２Ｃの環溝に嵌着された下部のメイティングリング１１Ｂと、ポンプ軸４に嵌着された下部シールリング１３Ｂとの下部摺動面１４Ｂよりも下方部に回り止め用押え板１６の上面へ定着させ、ポンプ軸４の回転方向と反対方向に巻き上げられたコイルスプリング１２のバネ圧により、上部シールリング１３Ａを上部メイティンリング１１Ａに圧接させると共に下部シールリング１３Ｂを下部メイティンリング１１Ｂに圧接させて上記上下部摺動面１４Ａ，１４Ｂを構成し、上記回り止め用押え板１６の上面且つ円筒状壁体１５の下方部にガイドベーンＧの下端部裏側とオイル室９とを導通させるオイル流入用横穴１７Ｂを開設し、該オイル流入用横穴１７Ｂから流入された潤滑オイル９ｏはガイドベーンＧに沿って上昇されてオイルの流出溝１７Ａから緩やかに流出されるので、オイル室９内の潤滑オイル９ｏは上記円筒状壁体１５により下から上へと循環されることから、該オイル流入用横穴１７Ｂに吸水剤２１が吸込まれないよう、上記円筒状壁体１５の外側に吸水剤２１が通過しないよう複数の透孔２０Ｈを穿設した遮蔽リング２０を付設し、更に該遮蔽リング２０の外側のオイル室９内の下壁面に配設された、例えば多孔質で吸水性を有する炭やシリカゲルなどの吸水剤２１が上記潤滑オイル９ｏの循環作用によって、オイル室９内に浸水される水分を効率よく該吸水剤２１に吸水させることで、水中モータポンプ用軸封装置の油水を分離し水分を除去させる方法。
【００２０】
そして、前記水中モータポンプ用軸封装置の油水分離による水分除去方法を用いた図１に示す装置において、1は水中モータポンプのモータ部であり、水中モータポンプのポンプ部２との間に介在する、潤滑オイル９ｏが封入されたオイル室９内を貫通するポンプ軸４の外周にダブル型軸封装置７を嵌装させてその外側を円筒状壁体１５で囲繞し、円筒状壁体１５の内周面にポンプ軸の回転方向に向かって上り勾配の傾斜面を形成するようガイドベーンＧを定着させ、円筒状壁体１５の上縁部の内側方向へ突出するフランジＦ１の上端面をモータ部１のハウジング１８の環溝に嵌着された上部メイティングリング１１Ａと、ポンプ軸４に嵌着された上部シールリング１３Ａとの上部摺動面１４Ａよりも上方部において、オイル室９内の上壁面に接近させてその環状間隙部をオイルの流出溝１７Ａに形成し、円筒状壁体１５の下縁部には外側方向へ突出するフランジＦ２を付設して該フランジＦ２の下面をポンプ部２のケーシング２Ｃの環溝に嵌着された下部メイティングリング１１Ｂと、ポンプ軸４に嵌着された下部シールリング１３Ｂとの下部摺動面１４Ｂよりも下方部に回り止め用押え板１６の上面へ定着させ、ポンプ軸４の回転方向と反対方向に巻き上げられたコイルスプリング１２のバネ圧により、上部シールリング１３Ａを上部メイティンリング１１Ａに圧接させると共に下部シールリング１３Ｂを下部メイティンリング１１Ｂに圧接させて上記上下部摺動面１４Ａ，１４Ｂを構成し、上記回り止め用押え板１６の上面且つ円筒状壁体１５の下方部にガイドベーンＧの下端部裏側とオイル室９とを導通させるオイル流入用横穴１７Ｂを開設し、該オイル流入用横穴１７Ｂから流入された潤滑オイル９ｏはガイドベーンＧに沿って上昇されてオイルの流出溝１７Ａから緩やかに流出されるので、オイル室９内の潤滑オイル９ｏは上記円筒状壁体１５により下から上へと循環されることから、該オイル流入用横穴１７Ｂに吸水剤２１が吸込まれないよう、上記円筒状壁体１５の外側に該吸水剤２１が通過しないよう複数の透孔２０Ｈを穿設した遮蔽リング２０を付設し、更に該遮蔽リング２０の外側のオイル室９内の下壁面に望ましく網袋等に入れて配設された吸水剤２１が上記潤滑オイル９ｏの循環作用によって、オイル室９内に浸水される水分を効率よく該吸水剤２１に吸水させることで、油水分離しながら水分を除去するように構成された、実施例１の水中モータポンプ用軸封装置の油水分離による水分除去装置。
【実施例２】
【００２１】
また、別の実施例として前記水中モータポンプ用軸封装置の油水分離による水分除去方法を用いた図２，３に示す装置において、前記実施例１と同一部位品は同一符号にて示すと、１は水中モータポンプのモータ部であり、該モータ部１のフレーム１Ｆ下端のハウジング１８下端面とポンプ部２のケーシング２Ｃ上端面との間に形成される空間部３へ着脱可能に介装させるオイルタンク８内に潤滑オイル９ｏが封入された水中モータポンプ用軸封装置であって、上記空間部３を貫通するポンプ軸４へ挿脱可能に嵌着される円筒状軸スリーブ６の外周にダブル型軸封装置７を嵌装させてその外周をオイルタンク８で囲繞し、オイルタンク８の上蓋８Ａ下面に凹設された上部環溝１０Ａにダブル型軸封装置７の上部メイティンリング１１Ａを嵌着させ、オイルタンク８の下壁８Ｂ上面に凹設された下部環溝１０Ｂにダブル型軸封装置７の下部メイティリング１１Ｂを嵌着させて該メイティンリング１１Ｂの回り止め用押え板１６を下部環溝１０Ｂの周壁上面へ定着させ、ポンプ軸４の回転方向と反対方向に巻き上げられたコイルスプリング１２のバネ圧により、上部シールリング１３Ａを上部メイティンリング１１Ａに圧接させると共に下部シールリング１３Ｂを下部メイティンリング１１Ｂに圧接させて上下部摺動封面１４Ａ，１４Ｂを構成し、ダブル型軸封装置７を囲んでオイルタンク８内に立設される円筒状壁体１５の内周面にポンプ軸回転方向に向って上り勾配の傾斜面を形成するようガイドベーンＧを定着させ、円筒状壁体１５の下縁部には外側方向へ突出するフランＦ２を付設して該フランジＦ２の下面を回り止め用押え板１６の上面へ定着させ、且つ円筒状壁体１５の下方部にガイドベーンＧの下端部裏側とオイルタンク８内（オイル室９）とを導通させるオイル流入用横穴１７Ｂを開設し、円筒状壁体１５の上縁部を上部メイティンリング１１Ａと上部シールリング１３Ａとの上部摺動面１４Ａよりも上方においてオイルタンク８上壁８Ａに接近させて内側方向へ突出するフランジＦ１を付設し、該フランジＦ１上面と上部環溝１０Ａの周壁下面との対向面間にオイル流出用１７Ａの環状溝隙を形成させ、オイルタンク８の周壁上縁部にモータフレーム１Ｆ下端のハウジング１８下端面へ当接する取付座１９を付設すると共に、上記オイル流入用横穴１７Ｂから流入された潤滑オイル９ｏはガイドベーンＧに沿って上昇されてオイルの流出溝１７Ａから緩やかに流出されるので、オイルタンク８内の潤滑オイル９ｏは上記円筒状壁体１５により下から上へと循環されることから、該オイル流入用横穴１７Ｂに吸水剤２１が吸込まれないよう、上記円筒状壁体１５の外側に該吸水剤２１が通過しないよう複数の透孔２０Ｈを穿設した遮蔽リング２０を付設し、更に該遮蔽リング２０の外側のオイルタンク８の下壁８Ｂ上面に望ましくは網袋等に入れて配設された吸水剤２１が上記潤滑オイル９ｏの循環作用によって、オイルタンク８内（オイル室９）に浸水される水分を効率よく該吸水剤２１に吸水させることで、油水分離しながら水分を除去するように構成された、実施例２の水中モータポンプ用軸封装置の油水分離による水分除去装置。
【００２２】
更に、前記実施例２のモータ部１のフレーム１Ｆ下端のハウジング１８下端面とポンプ部２のケーシング２Ｃ上端面との間に形成される空間部３へ着脱可能に介装させるオイルタンク８内に潤滑オイル９ｏが封入された水中モータポンプ用軸封装置では、図３に示すようにオイルタンク８を取付座１９によってモータフレーム１Ｆ下端のハウジング１８下端面へ当接させて垂設させることで、ポンプ部２で発生する水圧がオイルタンク８内のダブル型軸封装置７の下部に直接伝播しないよう空間部を隔てた、圧抜き構成にも対応することができる。
【符号の説明】
【００２３】
１            モータ部
１Ｆ          フレーム
２            ポンプ部
２Ｃ          ケーシング
３            ハウジング下端面とケーシング上端面間の空間部
４            ポンプ軸
６            円筒状軸スリーブ
７            ダブル型軸封装置
８            オイルタンク
８Ａ          オイルタンクの上蓋
８Ｂ          オイルタンクの下壁
９            オイル室
９ｏ          潤滑オイル
１０Ａ          上部環溝
１０Ｂ          下部環溝
１１Ａ          上部メイティンリング
１１Ｂ          下部メイティンリング
１３Ａ          上部シールリング
１３Ｂ          下部シールリング
１４Ａ          上部摺動面
１４Ｂ          下部摺動面
１５            円筒状壁体
１６            回り止め用押え板
１７Ａ          オイル流出用
１７Ｂ          オイル流入用横穴
１８            ハウジング
１９            取付座
２０            遮蔽リング
２１            吸水剤
Ｇ              ガイドベーン
Ｆ１            内側方向へ突出するフランジ
Ｆ２            外側方向へ突出するフランジ
【図１】
0005656773.tif 000002
【図２】
0005656773.tif 000003
【図３】
0005656773.tif 000004
【図４】
0005656773.tif 000005
【図５】
0005656773.tif 000006